(57)【要約】【課題】粘性液体ディスペンサを提供すること。【解決手段】粘性液体ディスペンサは、内部液体リザーバを定めるハウジングを含む。取出ポンプ機構がリザーバの中に少なくとも部分的に配置され、リザーバの外に延びる送出端を有する。どんな手法の粘性液体ディスペンサにも使用される独特な取出ポンプ機構が設けられる。ポンプ機構は、リザーバの内部でハウジングと一体に形成されたポンプチャンバを含むことができる。ポンプチャンバは、ハウジングのリザーバ部分に通じた後端と、ハウジングの外側に通じた前端とを有する。チャンバの中にポンプシリンダがスライド可能に配置され、保持される。ポンプシリンダは、その中に定められた通路と、チャンバの前端の外に延びる送出端とを有する。アクチュエータは、ユーザがハウジングの外側から装置を作動できるように、ポンプシリンダの送出端に構成される。ポンプシリンダの送出端に弁機構が配置される。【選択図】図５
2007098145.tif 000002
【特許請求の範囲】
【請求項１】
自給式粘性液体ディスペンサであって、
内部液体リザーバを定め、中を通り該リザーバの底面に隣接する開口部を有する前面を含むハウジングと、
前記開口部の中に嵌め込まれ前記リザーバの中に延び、前記リザーバに通じた後端と前記ハウジングの外側に通じた前端とを有する内部ポンプチャンバを定め、前記ポンプチャンバが前記ハウジングの前記前面のほぼ後方に配置されるように、前記前面において前記ハウジングに取り付けられた挿入部材と、
前記チャンバの中にスライド可能に配置され且つ保持され、前記ポンプチャンバの外に延びる送出端と、中に定められ前記送出端の配送オリフィスまで延びる送出通路とを有し、前記ポンプチャンバの中の液体を前記送出通路から前記配送オリフィスの外に加圧し取出すために前記ポンプチャンバ内で休止位置から加圧位置まで移動可能なポンプシリンダと、
前記ポンプシリンダを前記休止位置から前記加圧位置まで前記ハウジングの外側から動かすために、前記ポンプシリンダの前記送出端に構成されたアクチュエータと、
を備えたディスペンサ。
【請求項２】
前記ポンプシリンダの前記送出端内に配置されており、オペレータが前記アクチュエータを作動させると開き、前記アクチュエータを解除するときに閉じて、前記ポンプシリンダからの液体の漏れや滴下を防ぐようにするバルブ機構を備えていることを特徴とする請求項１に記載のディスペンサ。
【請求項３】
前記バルブ機構は前記アクチュエータを作動させるときに開位置へ移動可能であり、前記アクチュエータを解除すると閉位置へ自動的に戻る少なくとも一つの可撓性フラップ部材を備えていることを特徴とする請求２に記載のディスペンサ。
【請求項４】
前記開位置において貫通する開口部を形成し、前記閉位置において相互にシールする複数のフラップ部材を備えていることを特徴とする請求項３に記載のディスペンサ。
【請求項５】
前記ポンプシリンダは、前記後端から前記ポンプチャンバの中に挿入可能であり、前記チャンバはさらに、前記ポンプチャンバから前記前端を通して前記ポンプシリンダが引き出されることを防ぐために、前記前端に保持構造体を含むことを特徴とする請求項１に記載のディスペンサ。
【請求項６】
前記ポンプシリンダを前記ポンプチャンバの中に挿入したときに、前記ポンプチャンバの前記後端に取り付け可能な端部キャップをさらに備えたことを特徴とする請求項５に記載のディスペンサ。
【請求項７】
粘性液体を前記ポンプへ引出すように、前記キャップ部材を貫通して形成されたオリフィスを備え、前記ポンプシリンダが前記加圧位置へ動作すると、前記オリフィスを閉鎖するように前記オリフィス内に配置されたチェックバルブ装置をさらに備えたことを特徴とする請求項６に記載のディスペンサ。
【請求項８】
前記チェックバルブ装置は、前記ポンプシリンダが前記加圧位置へ動く際に、前記オリフィスを閉鎖するように配置されたシーリングキャップを備えたことを特徴とする請求項７に記載のディスペンサ。
【請求項９】
前記アクチュエータは、前記ハウジングにピボット運動可能に接続され、前記ポンプシリンダの送出端に接触するパネル部材を備えていることを特徴とする請求項１に記載のディスペンサ。
【請求項１０】
前記アクチュエータは前記ポンプシリンダの前記送出端に直接取り付けられていることを特徴とする請求項１に記載のディスペンサ。
【請求項１１】
前記ポンプシリンダは、中を通して定められた第１通路を有する第１部品と、前記第１部品の中にはめ込まれ、中を通して定められ前記第１通路と軸方向に位置合わせされる第２通路を有する第２部品とを備え、前記第１及び第２通路は、前記ポンプシリンダを通した前記送出通路を定めることを特徴とする請求項１に記載のディスペンサ。
【請求項１２】
前記第１部品はさらに、前記ポンプチャンバを定める前記挿入部材の内壁に沿ってスライド可能に係合する第１の半径方向に延びるシールを備え、前記第２部品はさらに、同様に前記挿入部材の前記内壁に沿ってスライド可能に係合する第２の半径方向に延びるシールを備えたことを特徴とする請求項１１に記載のディスペンサ。
【請求項１３】
前記ポンプシリンダを前記休止位置へ付勢する、前記ポンプチャンバ内に配置された付勢要素を含むことを特徴とする請求項１に記載のディスペンサ。
【請求項１４】
前記挿入部材の外面と前記ハウジングとの間に配置される少なくとも１つのシールをさらに備えたことを特徴とする請求項１に記載のディスペンサ。
【請求項１５】
前記少なくとも１つのシールが、前記ハウジングの前記開口部の周りに配置され半径方向内側に延び前記挿入部材の前記外面に対して係合し且つシールするシールを備えたことを特徴とする請求項１４に記載のディスペンサ。
【請求項１６】
前記ハウジングの中の前記開口部が、前記前面から前記リザーバの中に延びる円筒形の延長部によって定められ、前記半径方向に延びるシールが前記円筒形の延長部の上に配置されたことを特徴とする請求項１５に記載のディスペンサ。
【請求項１７】
前記挿入部材が、前方端に配置され半径方向外側に延び前記開口部を定める前記ハウジングの部分に対して係合し且つシールするシールを備えたことを特徴とする請求項１４に記載のディスペンサ。
【請求項１８】
前記挿入部材の外面と前記ハウジングとの間に第１及び第２シールをさらに備え、前記第１シールは、前記ハウジングの前記開口部の周りに配置され半径方向内側に延び前記挿入部材の前記外面に対して係合し且つシールするシールを備え、前記第２シールは、前記挿入部材の前方端に配置され半径方向外側に延び前記開口部を定める前記ハウジングの部分に対して係合し且つシールするシールを備えたことを特徴とする請求項１に記載のディスペンサ。
【請求項１９】
自給式粘性液体ディスペンサであって、
内部液体リザーバを定め、中を通り該リザーバの底面に隣接する開口部を有する前面を含むハウジングと、
前記開口部の中に嵌め込まれ前記リザーバの中に延び、前記リザーバに通じた後端と前記ハウジングの外側に通じた前端とを有する内部ポンプチャンバを定め、前記ポンプチャンバが前記ハウジングの前記前面のほぼ後方に配置されるように、前記前面において前記ハウジングに取り付けられた挿入部材と、
前記チャンバの中にスライド可能に配置され且つ保持され、前記ポンプチャンバの外に延びる送出端と、中に定められ前記送出端の配送オリフィスまで延びる送出通路とを有し、前記ポンプチャンバの中の液体を前記送出通路から前記配送オリフィスの外に加圧し取出すために前記ポンプチャンバ内で休止位置から加圧位置まで移動可能なポンプシリンダと、
前記ポンプシリンダを前記休止位置から前記加圧位置まで前記ハウジングの外側から動かすために、前記ポンプシリンダの前記送出端に構成されたアクチュエータと、
前記ポンプシリンダと前記ポンプチャンバとの間に配置され、前記ディスペンサの保管及び搬送中に前記加圧位置へ前記ポンプシリンダをロックされた状態に維持するようにするロック機構と、
を備えたディスペンサ。
【請求項２０】
前記ロック機構は、前記加圧位置に対応する位置において、前記ポンプシリンダの外面に形成された円周方向に延びる溝を備えており、該溝内に係合する、前記挿入部材上に形成された半径方向に延びるタブを備えていることを特徴とする請求項１９に記載のディスペンサ。
【請求項２１】
自給式粘性液体ディスペンサであって、
内部液体リザーバを定め、中を通り該リザーバの底面に隣接する開口部を有する前面を含むハウジングと、
前記開口部の中に嵌め込まれ前記リザーバの中に延び、前記リザーバに通じた後端と前記ハウジングの外側に通じた前端とを有する内部ポンプチャンバを定め、前記ポンプチャンバが前記ハウジングの前記前面のほぼ後方に配置されるように、前記前面において前記ハウジングに取り付けられた挿入部材と、
前記チャンバの中にスライド可能に配置され且つ保持され、前記ポンプチャンバの外に延びる送出端と、中に定められ前記送出端の配送オリフィスまで延びる送出通路とを有し、前記ポンプチャンバの中の液体を前記送出通路から前記配送オリフィスの外に加圧し取出すために前記ポンプチャンバ内で休止位置から加圧位置まで移動可能なポンプシリンダと、
前記ポンプシリンダを前記休止位置から前記加圧位置まで前記ハウジングの外側から動かすために、前記ポンプシリンダの前記送出端に構成されたアクチュエータと、
を備え、
前記ハウジングは、前記前面から延び前記開口部の周りに配置された複数の突起を備え、前記挿入部材は、中を通して定められ且つ前記挿入部材が前記ハウジングの中に設置されると前記突起がその中に延びる複数の孔を有する前フランジを備えたことを特徴とする自給式粘性液体ディスペンサ。
【請求項２２】
前記孔は座繰りされ、前記突起は、溶融されて、前記孔の中に流れて前記ハウジングに対して前記挿入部材を恒久的に保持するようにされることを特徴とする請求項２１に記載のディスペンサ。
【請求項２３】
自給式粘性液体ディスペンサであって、
内部液体リザーバを定め、中を通り該リザーバの底面に隣接する開口部を有する前面を含むハウジングと、
前記リザーバと連通する後端開口部と、前記ハウジングの外側に通じる前端開口部とを有する、前記リザーバ内に形成されたポンプチャンバと、
前記チャンバの中にスライド可能に配置され且つ保持され、前記ポンプチャンバの外に延びる送出端と、中に定められ前記送出端の配送オリフィスまで延びる送出通路とを有し、前記ポンプチャンバの中の液体を前記送出通路から前記配送オリフィスの外に加圧し取出すために前記ポンプチャンバ内で休止位置から加圧位置まで移動可能なポンプシリンダと、を備え、
前記ポンプシリンダは、中を通して定められた第１通路を有する第１部品と、前記第１部品の中にはめ込まれ、中を通して定められ前記第１通路と軸方向に位置合わせされる第２通路を有する第２部品とを備え、前記第１及び第２通路は、前記ポンプシリンダを通した前記送出通路を定めるようになっており、
前記ポンプシリンダを前記休止位置から前記加圧位置まで前記ハウジングの外側から動かすために、前記ポンプシリンダの前記送出端に構成されたアクチュエータと、
を備えたディスペンサ。
【請求項２４】
前記第１の成分は、前記ポンプチャンバを形成する壁に沿って摺動可能に係合する第１の半径方向に延びるシールを備え、前記第２成分は、前記ポンプチャンバを形成する前記壁に沿って摺動可能に係合する第２の半径方向に延びるシールを備えていることを特徴とする請求項２３に記載のディスペンサ。
【請求項２５】
前記ポンプシリンダの前記送出端に配置されたバルブ機構を備え、該バルブ機構は、オペレータが作動させると開き、前記アクチュエータを解除すると閉じて、前記ポンプシリンダからの液体の漏れや滴下を防ぐようになったバルブ機構をさらに備えたことを特徴とする請求項２３に記載のディスペンサ。
【請求項２６】
前記バルブ機構は前記アクチュエータを作動させるときに開位置へ移動可能であり、前記アクチュエータを解除すると閉位置へ自動的に戻る少なくとも一つの可撓性フラップ部材を備えていることを特徴とする請求２５に記載のディスペンサ。
【請求項２７】
前記ポンプチャンバ内に前記ポンプシリンダを挿入して、前記ポンプチャンバの前記後端部に取付可能な端部キャップを備えていることを特徴とする請求項２３に記載のディスペンサ。
【請求項２８】
粘性液体を前記ポンプチャンバに引出すように、前記キャップ部材を貫通して形成されたオリフィスを備えており、前記ポンプシリンダの前記加圧位置への動作の際に、前記オリフィスを閉鎖する、前記オリフィス内に配置されたチェックバルブ装置を備えていることを特徴とする請求項２７に記載のディスペンサ。
【請求項２９】
前記チェックバルブは、前記ポンプシリンダが前記加圧位置へ動く際に前記オリフィスをシールするように配置されたシーリングキャップを備えていることを特徴とする請求項２８に記載のディスペンサ。
【請求項３０】
前記アクチュエータは、前記ハウジングにピボット運動可能に取り付けられ、前記ポンプシリンダの送出端に接触するパネル部材を備えていることを特徴とする請求項２８に記載のディスペンサ。
【請求項３１】
前記アクチュエータは、前記ポンプシリンダの前記送出端に直接取付けられていることを特徴とする請求項２３に記載のディスペンサ。
【発明の詳細な説明】
【技術分野】
【０００１】
（関連出願）
本ＰＣＴ出願は、２０００年１２月１９日に出願された米国特許出願第０９／７４１，５７０号、２００１年７月２３日に出願された米国特許出願第０９／９１１，０７３号、２００１年７月２３日に出願された米国特許出願第０９／９１１，３６１号、２００１年９月２６日に出願された米国特許出願第０９／９６４，２８９号、２００１年９月２６日に出願された米国特許出願第０９／９６４，２９０号、及び２００１年１１月２８日に出願された出願番号未定の米国特許出願に基づく優先権を主張するものである。
【０００２】
本発明は、例えば、ソープ・ディスペンサ、シャンプー及びローション・ディスペンサ、食品ディスペンサ等のような粘性液体ディスペンサの分野に関するものである。
【背景技術】
【０００３】
当該技術分野では、液体ディスペンサ、特に液体石鹸ディスペンサの種々の構成及びモデルが良く知られている。公衆トイレなどで典型的に使用される従来のディスペンサは、典型的には壁に恒久的に取り付けられた収容体又は構造体を含む壁掛け式ユニットである。これらのディスペンサは典型的に、詰め替え又は手入れのために保守係の人がディスペンサを開けることができるようにするアクセス扉又は部材を含む。ある種のディスペンサについては、ハウジング構造体の中に別個の詰め替えカートリッジが挿入される。その他のタイプのディスペンサについては、保守技術者がハウジング構造体の中に設けられたリザーバに直接補充しなければならない。ディスペンサは典型的に、取出ポンプのような送出装置と、該取出ポンプを作動させるためのレバーやボタンのような装置とを含む。ディスペンサは、半密閉式であってもよいし、開放式であってもよい。
【０００４】
通常のディスペンサは、壁に恒久的に取り付けられたハウジング構造体の継続的なメンテナンスと操作性に依存する。言い換えれば、ハウジング構造体、特に取出ポンプが損傷されたり破壊されると、ディスペンサは使えなくなって、取り替えなければならない。通常のディスペンサはまた、追加の液体石鹸を別に貯蔵し、移送し、該ディスペンサに詰める必要がある供給システムに依存する。このプロセスには、不必要なロジスティックスとマンパワー源が必要とされる。
【０００５】
本発明は、既存のシステムに対する改善であり、標準的なディスペンサに比べて著しく容量が増大した、比較的費用がかからず、液体石鹸又はその他のタイプの粘性製品の詰め替えカートリッジ又は大容量の別個の貯蔵及び供給に依存しない、使い捨て自給式ディスペンサを提供するものである。
【発明の開示】
【発明が解決しようとする課題】
【０００６】
本発明の目的及び利点は、以下の詳細な説明において部分的に解説されるか、又は該説明から明らかとなるか、或いは本発明の実施を通じて理解されるであろう。
【課題を解決するための手段】
【０００７】
本発明は、自給式粘性液体ディスペンサを提供するものである。本発明に係るディスペンサは、液体石鹸ディスペンサとして特に有用ではあるが、液体石鹸ディスペンサに限定されるものではなく、粘性液体の計量された量を取出することが望まれるどんな用途にも使用可能である。例えば、本ディスペンサは、シャンプー・ディスペンサ、ローション・ディスペンサ、食品ディスペンサ（すなわちケチャップ、マスタード、又はマヨネーズ・ディスペンサ）、又は粘性物質の計量された量を取出するためのその他の製品のディスペンサとして特に有用である。本明細書では、ディスペンサは、説明を簡単にするためにソープディスペンサについて説明される。
粘性液体ディスペンサは、どんな適切な材料で形成することもできるハウジングを含む。例えば、ハウジングは、比較的安価なプラスチック材料から成形することができ、どんな所望の美的形状にすることもできる。ハウジングはまた、一体にシールされた内部液体リザーバを定める。言い換えれば、液体リザーバは、カートリッジなどのような、ハウジングから別になった部品ではない。ハウジングは、ディスペンサの外観を与える壁部材を構成することができ、内部液体リザーバを定めることもできる。
リザーバの中に取出ポンプ機構が少なくとも部分的に配置される。ポンプ機構は、粘性液体を取出するためにユーザによって作動される、リザーバの外に延びる送出端を有する。
【０００８】
ディスペンサはまた、ハウジングの一体部品として構成された取付機構を含む。取付機構は、ディスペンサを、壁面上の相補的な取付構造体に取り外し可能に接続できるようにする。この場合には、ディスペンサは、液体が使い尽くされると、廃棄するか又はリサイクルするために壁面から簡単に取り外すことができる。次いで、本発明に係る新たな液体ディスペンサが壁面に取り付けられる。
【０００９】
本発明の一実施形態においては、ハウジングは、壁面に隣接して配置されるように構成された実質的に垂直な裏側を備える。取付機構は、裏側に構成される。例えば、ハウジングが成形部品である場合には、取付機構は、裏側と一体に成形される。取付機構は、裏側に定められる凹部を備えることができる。凹部は、上に定められた係合構造体を有する側壁によって定められる。これらの係合構造体は、壁取付構造体上に設けられた相補的な構造体と相互ロック式に係合する。壁取付構造体は、例えば、壁に比較的恒久的に固定されるプレート部材か又は同様の装置とすることができる。係合構造体の一実施形態においては、凹部の垂直側壁は、各垂直側壁上に少なくとも１つの或る角度をなす表面を含む。これらの或る角度をなす表面は、通常のダブテール構成と同様に、壁取付構造体上の相補的な或る角度をなす表面に対して係合する。ハウジングは、ほぼ垂直方向に壁取付構造体の上にスライド可能であり、取付機構の或る角度をなす表面がスライドして、壁取付構造体の或る角度をなす表面に対して係合するようにされる。係合すると、或る角度をなす表面は、ディスペンサが壁取付構造体から引き離されることを防ぐ。或る角度をなす表面の係合によって、ハウジングと壁取付構造体との間の相対的なスライド移動を防ぐために、ハウジングの裏側に固定装置を設けることができる。この固定装置は、例えば、壁取付構造体の中に定められた相補的な凹部か又はディボットに係合する、ハウジングの裏側に配置された単純な突起とすることができる。別の実施形態においては、ハウジングの凹部の中に形成された相補的な凹部又はディボットの中に係合する突起又はロック・ナブを設けることができる。
【００１０】
本発明の特定の一実施形態においては、壁取付構造体は、比較的硬質の剛性材料（すなわち金属又は硬質プラスチック・ブラケット）で形成することができ、対応するハウジングの凹部の寸法より大きい少なくとも１つの寸法（すなわち幅又は深さ）を有することができる。ハウジングは、本質的に或る程度の「遊び」又は弾性を有するプラスチックのような材料から形成することができる。この方法においては、ハウジングを壁取付構造体の上に取り付けると、取付構造体のより大きい寸法の部品によって、ハウジング凹部の対応する部分が、オーバーサイズの壁取付構造体に対応するように「湾曲」又は屈曲することになる。この構成は、ハウジングと壁取付構造体との間に極めて良好な固定と緊密な係合を与え、ハウジングがぐらついたり支持構造体に対して移動することを防ぐ。ユーザに対して、ハウジングは壁に恒久的にボルト締めされるか又は他の手法で取り付けられているように見えることになり、本質的にハウジングを取り外す術が見当たらない。また、ハウジングは、過度の力なしでは壁取付構造体から引き離したりこじ開けることができない。
【００１１】
特に有用な一実施形態においては、壁構造体上の相補的な離間された或る角度をなす表面に対して係合する少なくとも２つの離間された或る角度をなす表面が、凹部の各垂直壁上に設けられる。或る角度をなす表面の離間された構成は、部材間の相対的なスライド移動距離を著しく増大させることなく、ハウジングと壁取付構造体との間の表面の接触面積を最大にする。
【００１２】
上述のように、ハウジング構造体は、比較的安価な成形プラスチックから形成されることが好ましく、互いに恒久的に固定されるか又は取り付けられる別個に成形された部品を含むことができる。例えば、ハウジングは、裏部品とは別に形成され且つ裏部品に取り付けられる表部品を含むことができる。表部品と裏部品は、異なる特徴をもち得ることが望ましい。例えば、壁構造体上に設置されたディスペンサに対する構造的な支持と剛性の改善を与えるために、裏部品は、表部品よりさらに剛性にされ得ることが望ましい。これは、単純に裏部品を表部品より厚く形成することによって達成可能である。表部品と裏部品は、異なるタイプの材料から成形するか又は形成することができる。
【００１３】
保守技術者がリザーバ内の液体の残量を容易に判断できるように、ハウジングの少なくとも一部を半透明にするか又は透明にすることも望ましい。例えば、ハウジングに窓を設けても良い。１つの特に有用な実施形態においては、ハウジングは、リザーバの全容量が外側から見えるように、半透明の材料から形成された裏部品を含む。
ユーザがポンプ機構を作動できるようにするどんな手法のアクチュエータをもディスペンサに設けることができる。例えば、一実施形態においては、アクチュエータは、ハウジングの美的外観に寄与するパネル部材を含み得る。パネル部材は、ハウジング部材にヒンジ式に取り付けるか又は他の手法で移動可能に接続することができ、ポンプ機構の送出端に対して接触する。ユーザがパネルを押すか又は動かすと、ポンプ機構が作動し、計量された量の液体が送出される。別の実施形態においては、アクチュエータは、ポンプ機構の送出端に直接取り付けられた装飾的なキャップなどのような部材を含み得る。言い換えれば、アクチュエータは、ハウジングに直接接続する必要がない。これに関して、美的に優れたアクチュエータの種々の実施形態を使用することができる。
【００１４】
ポンプ機構は、リザーバの内部でハウジングと一体に形成されたポンプチャンバを含むことができる。例えば、ハウジングは、ハウジングの内部にポンプチャンバが一体に成形された、成形プラスチック部品を含むことができる。ポンプチャンバは、ハウジングのリザーバ部分に通じた後端と、ハウジングの外側に通じた前端とを有する。チャンバの中にポンプシリンダがスライド可能に配置され、保持される。ポンプシリンダは、その中に定められた通路と、チャンバの前端の外に延びる送出端とを有する。ポンプシリンダは、そこから引っぱることができないように、チャンバ内に保持される。アクチュエータは、ユーザがハウジングの外側から装置を作動できるように、ポンプシリンダの送出端に構成される。ポンプシリンダの送出端に弁機構が配置され、該弁機構は、ユーザがアクチュエータを離すと閉鎖して、ポンプシリンダからの液体の漏れや滴下を防ぐように構成される。
【００１５】
一実施形態においては、ポンプシリンダは、後端からポンプチャンバの中に挿入可能である。チャンバは、前端を通してポンプチャンバからポンプシリンダが引き抜かれるのを防ぐために、前端にフランジ部材などのような保持構造体を含む。シリンダがチャンバの中に挿入されると、ポンプチャンバの後端にキャップ部材か又は同様の装置が取り付けられる。キャップ部材は、ポンプチャンバの中に液体を引き出すために、その中に定められたオリフィスを有する。ポンプシリンダの作動によってオリフィスを閉鎖するために、シャトル弁のような逆止め弁装置が、オリフィスの中に配置される。
【００１６】
ポンプシリンダの送出端に配置された弁機構は、取出される液体の圧力によって開位置に向けて移動可能な可撓性のフラップ部材を備えることができる。アクチュエータを解放すると、フラップ部材は自動的に閉位置に戻り、ポンプシリンダの送出端の外に液体が不本意に漏れる又は滴下することを防ぐ。特に有用な一実施形態においては、弁機構は、開位置において中を通る開口部を定め、閉位置において互いに対してシールする複数のフラップ部材を備える。
【００１７】
ディスペンサはまた、ハウジング・リザーバの中にねじ込まれるか又は他の手法ではめ込まれた取り外し可能なポンプ機構を使用することができる。例えば、ポンプ機構は、ポンプチャンバ・ハウジング、キャップ、又はハウジング壁の中に定められたボアに嵌合して内部リザーバと連通するような他の好適な構造体を有する自給式ポンプを含むことができる。これに関しては、どんな形式の通常のポンプ機構を使用することもできる。本実施形態においては、ポンプは、ハウジングを廃棄する前に後で再使用するために該ハウジングから取り外すことができる。
【００１８】
リザーバの中に真空が引かれるのを防ぐために、リザーバの中に通気路が定められる。特に望ましい実施形態においては、ハウジング構造体の上面に通気部が設けられる。ハウジング構造体は、使用の際に壁面上に設置されるので、上面の通気部から液体が漏れる恐れが多少は存在する。他の実施形態においては、リザーバは、ポンプ機構を通して通気することができる。しかしながら、ポンプ機構を通して通気することによって、特にポンプ機構がハウジングの下側部分に配置される場合に、該機構から望ましくない漏れが生じることがある。通気はまた、ポンプシリンダの送出端の弁機構を通して達成することができる。
【００１９】
上部設置型通気部の種々の実施形態が、ディスペンサのために検討される。例えば、ハウジングの上部壁に設置された好適な通気機構は、リザーバがポートから粘性液体又は物質で充填された後に、ハウジングの上部に定められた充填ポートの中にスライドされる本体部材を含むことができる。通気本体は、一旦挿入されるとディスペンサに大きなダメージを与えなければすぐに取り外すことができないような手法で、ハウジングの上部壁と相互ロック式に及びスライド式に係合する。通気部は、通気通路の中に設置されたばねか又はボールのような他の弾性的に設置されたプラグを含むことができる。このプラグは、ユーザがポンプ機構を作動させて、その結果リザーバの中に部分的に真空が引かれ、ディスペンサから計量された量の粘性液体が放出されるまで、本質的に通気部をシールする。この真空によって、プラグがばねか又は他の弾性部材の力に対抗して下向きに引き込まれ、通気部を横切る圧力が平衡化されてプラグが再び着座するまで、通気オリフィスが脱シールされる。
【００２０】
本発明に係るディスペンサの独特の利点は、ディスペンサ「パッケージング」を増加させる必要なしに、こうしたディスペンサの容量を大きく増やせることである。「パッケージング」という用語は、所与の容量（体積）を取出する「位置」を与え且つ維持するのに要求される材料及び構造体として理解される。例えば、従来のカートリッジ・レフィル・ディスペンサ（すなわち壁設置ハウジングの中に入れられた可撓性のバッグ・カートリッジ・レフィル）については、ディスペンサの最初の設置又は交換のための「パッケージング」は、カートリッジ材料と、後でその中にカートリッジが配置される壁設置ハウジング構造体を含む。ハウジング内のリザーバに大容量貯蔵源からの液状製品が直接補充される通常のディスペンサにおいては、「パッケージング」は、壁設置ハウジング構造体全体と大容量貯蔵容器を含む。本発明では、「パッケージング」は本質的に、使い捨てのハウジング構造体と一体型ポンプ機構である。本ディスペンサにおけるパッケージングの重量（グラム）対容量（体積リットル）の比は、通常の装置と比べて大きく減少させることができる。これにより発送、取り扱い、貯蔵、メンテナンス等に係る経済的利点が増加することになる。
【００２１】
ハウジングの構成及び外観は、本発明を制限する特徴ではないことを理解されたい。また、本発明は、どんな特定の形式の材料又は製造工程の使用にも限定されるものではない。ハウジングの裏側と壁設置部材との間の相互ロック係合構造体の種々の実施形態も、本発明の精神及び範囲内にある。例えば、係合構造体は、バイオネット型ファスナ等を含むことができる。
【００２２】
本発明に係るディスペンサに使用可能なポンプ機構の別の実施形態においては、ハウジングの表面に定められた開口部を通して挿入部材が挿入される。挿入部材は、リザーバの中に延び、リザーバに通じる後端とハウジングの外側に通じる前端とを有する内部ポンプチャンバを定める。挿入部材は、好適な機構のいずれかによって開口部でハウジングに取り付けられる。１つの特定の実施形態においては、ハウジングは、前面から延び開口部の周りに配置された複数の突起を備える。挿入部材は、中を通して定められ挿入部材をハウジングの中に設置すると突起がその中を通して延びる複数のカウンタボア孔を有する前フランジを備える。突起は、次いで溶融状態まで加熱され、突起材料がカウンタボア孔の中に流れ、再固化することによって、挿入部材をハウジングに恒久的に固定する。ポンプ機構をリサイクルするか又は再使用することが望まれる場合には、挿入部材をハウジングに固定するために、取り外し可能な接着剤、機械的接続（すなわちねじ係合）等のようなあまり恒久的でない即ち一時的なタイプの取り付け機構を使用することができる。
【００２３】
リザーバの中の液体が挿入部材の周りから漏れ出ないことを確実なものにするために、挿入部材の外面とハウジングとの間に少なくとも１つのシールが配置される。特定の一実施形態においては、このシールは、ハウジングの開口部の周りに配置され半径方向内向きに延び、挿入部材の外面に対して係合し且つシールするシールである。このシールは、ハウジングの円筒形の延長部上に設けることができ、前面からリザーバの中に延びる。別の実施形態においては、シールは、挿入部材の前方端に配置され半径方向外向きに延び、開口部を定めるハウジングの部分に対して係合し且つシールするシールとすることができる。同じ実施形態にこの両方のタイプのシールを使用することが望ましい場合もある。
【００２４】
一体に形成されたポンプチャンバか又はポンプチャンバ挿入部材に使用可能なポンプシリンダの別の実施形態も与えられる。このポンプシリンダは、多数の部品を含むことができる。例えば、一実施形態においては、ポンプシリンダは、第１部品と、第１部品に定められたチャンバの中に挿入される第２部品とを含む。部品の中の長さ方向に延びる通路は、位置合わせされてポンプシリンダを通した送出通路を定める。この通路は、ポンプシリンダの送出端の中に定められた送出オリフィスまで延びる。これらの部品は、組み合わされると、休止位置から加圧位置までポンプチャンバの中でスライド可能な完成したポンプシリンダを定め、加圧位置において、ポンプチャンバの中に引き込まれた液体が加圧され、送出通路から取出オリフィスの外に取出される。
【００２５】
ポンプシリンダをポンプチャンバに対してシールするために、ポンプチャンバを定める壁に沿ってスライド可能に係合するフランジシールのような第１の半径方向に延びるシールを、ポンプシリンダの第１部品上に設けることができる。同様にポンプチャンバ壁に沿ってスライド可能に係合する第２の同様のシールを第２部品上に設けることができる。
本発明は、図面に示された特定の実施形態に関連して以下に詳細に説明される。
【発明を実施するための最良の形態】
【００２６】
次に本発明の実施形態について詳しく説明すると、本発明の１つ又はそれ以上の例が図面に示されている。各例は、本発明を説明するために与えられたものであって、本発明を制限することを意図しているものではない。例えば、１つの実施形態の一部として図示された又は説明された特徴を、別の実施形態に使用して、さらに別の実施形態を生み出すことができる。本発明は、本明細書に記載する実施形態の修正及び変形を含むように意図されている。
【００２７】
本発明に係る粘性液体ディスペンサ１０が、図面に全体的に示されている。本明細書では、ディスペンサ１０は、本発明の特に有用な実施形態である液体石鹸ディスペンサとして図示され説明される。しかしながら本発明は、液体石鹸用のディスペンサに限定されるものではなく、取出ユニットから計量された量の粘性液体を取出することが望まれるどんな環境における用途をも有することを理解されたい。
ディスペンサ１０は、全体を１４で示すハウジングを含む。ハウジング１４は、側壁又は部材１６と、裏側１８と、表側２０とを含むことができる。ハウジング１４は、どんな所望の形状をとることもでき、どんな数の部品から形成することもできる。図示された実施形態においては、ハウジング１４は、表部品２４と裏部品２２とを含む。表部品と裏部品は、別に製造され、これらは恒久的に接合される。部品は、どんな所望の材料から製造することもできることを理解されたい。好ましい実施形態においては、ディスペンサ１０は、使い捨て商品であり、ハウジング１４は、比較的安価なプラスチック材料から成形される。特に図１０を参照すると、裏部品２２は、透明な又は半透明なプラスチックから成形することができ、側縁２６と位置合わせタブ４８を含む。タブ４８は、裏部品２２を表部品２４に対して位置合わせし、側縁２６は、表部品２４の側壁１６の中に定められ対応するサイズにされた凹部２８（図４）の中に嵌合する。裏部品２２は、接着剤、溶接、又はその他の比較的恒久的な取り付け手段によって、表部品２４に恒久的に接合される。
【００２８】
ハウジング１４は、その内部体積の中に内部液体リザーバ６８を定める。図示された実施形態においては、液体リザーバ６８は、本質的に表部品２４と裏部品２２によって定められた体積全体を含む。図示されていないが、リザーバ６８の中にバッフル等のようなどんな数の内部構造体部材を含むこともできることを理解されたい。したがって、ハウジング１４はまた、閉鎖された又はシールされたリザーバとして働き、ディスペンサ１０は、保守技術者でも開けることができないことを理解されたい。ディスペンサが使用場所に運ばれる前に、所望量の粘性液体、例えば石鹸が、ディスペンサ１０の中に予め充填される。
【００２９】
本出願人らは、ハウジング２４の裏部品２２は、表部品２４より剛性が高いことが望ましいことを見出した。この特徴を達成する１つの方法は、裏部品２２を単純に表部品２４より厚みが増すように成形することである。後でもっと詳しく説明するように、ディスペンサ１０は、ハウジング１４の裏側１８に形成された内部取付機構の作用によって支持壁面上に設置される。剛性の高い裏部品２２は、ディスペンサ１０の設置を助ける。表部品と裏部品が弾性的なプラスチック材料から成形された場合には、ディスペンサが空になると、裏部品２２は、ディスペンサ１０を支持壁構造体から簡単に取り外せるようにするのに十分なだけの「たわみ」を有する。
【００３０】
全体を８８で示す取出ポンプ機構が、リザーバ６８の中に少なくとも部分的に配置される。ポンプ機構８８は、ハウジング又はリザーバ６８の外に延びる送出端９０を有する。ポンプ機構８８は、ユーザがポンプ機構を作動させると、計量された量の粘性液体を取出するように構成される。ディスペンサ１０にはどんな数の従来の及び周知のポンプ装置をも使用可能であることを理解されたい。図面に示されたポンプ機構８８は、特に好適な機構の一実施形態である。
【００３１】
ハウジング２４に取り外し可能なポンプ機構を構成することも本発明の範囲内にある。例えば、どんな手法の通常のポンプをも、リザーバ６８と連通するようにハウジング２４にねじ込むか又は他の手法ではめ込むことができる。例えば、こうしたポンプ機構は、ポンプチャンバ・ハウジング、キャップ、又は内部リザーバ６８と連通するようにハウジング２４の前壁を通して定められたボアに適合する他の好適な構造体を備えた自給式ポンプを含むことができる。ポンプを配置することは、ディスペンサの使用場所で行うことができる。例えば、使い尽くされたディスペンサのポンプをハウジングから取り外して、直ちに取替えハウジングの中に配置することができる。ポンプが中に挿入されるまでハウジングポートを覆うために、取り外し可能なプラグか又は破断可能なシールを用いることができる。
【００３２】
図５から図７までに示されたポンプ機構の実施形態を参照すると、ポンプ機構８８は、チャンバ７０の中にスライド可能なシリンダ９２を含む。チャンバ７０の体積は、ポンプの作動毎に送出される液体の計量された量を定める。チャンバ７０は、ハウジング１４のどんな内部構造体によっても形成可能である。チャンバは、ハウジング１４の表部品２４に一体に成形された構造体によって定められることが好ましい。図示された実施形態においては、チャンバ７０は、チャンバ壁７２によってほぼ円筒形のチャンバとして定められる。シリンダ９２は、その中に長さ方向に定められた通路９４を含む。通路９４は、シリンダの端壁を介してポンプチャンバ７０の内部と連通する。送出通路９４は、シリンダ９２の前端の中に定められる取出オリフィス９６まで延びる。
【００３３】
シリンダ９２は、通常の手段のいずれかによってチャンバ壁７２に対してシール係合される。例えば、チャンバ壁７２に対するシール係合のために、シリンダ９２の後端にフランジ又はピストン１０１を配置することができる。別の実施形態においては、ピストン１０１の周りにＯ−リング１１６（図８ａ）を設けることができる。ピストン１０１は、チャンバ７０を加圧して、チャンバの中に入っている粘性液体がシリンダ９２の作動によって送出通路９４を通して取出されることを確実なものにし、シリンダの移動によってポンプチャンバ７０の一端から別の端まで単純に移動するのではない。
【００３４】
ポンプシリンダ９２は、例えば、ばね９８の作用によってチャンバ７０の中に付勢される。この目的のために、重ね板ばね及びばね座金等を含む他の弾性的な装置を用いることもできる。図示された実施形態においては、ばね９２は、特に図５から図７までに示すように、フレアフランジ１００によって定められる凹部１０２の中に着座される。ばね９８の両端は、端部キャップ７４の円筒形の突出部７６の周りにはめ込まれる。端部キャップ７４は、シリンダ９２がポンプチャンバの中に挿入された後に、ポンプチャンバ７０を定める構造体に恒久的に固定される。
構造体はまた、シリンダ９２をチャンバ７０の前端から引っぱることができないことを確実なものにするために設けられる。図示された実施形態においては、この構造体は、チャンバ７０の前壁８６のフランジ部分に対応する。図５に示すように、壁のフランジ部分８６は、ポンプシリンダ９２のピストン１０１に対して係合する。
【００３５】
チャンバ７０内でのシリンダ９２の移動によってポンプチャンバ７０の中の粘性液体がチャンバ７０の外に押し出されないことを確実なものにするために、ポンプ機構８８に逆止め弁装置１０４が形成される。図示された実施形態においては、逆止め弁装置１０４は、半径方向に延びるアーム１０６を有するシャトル型の逆止め弁である。シャトル弁は、端部キャップ７４を通して定められた開口部の中にスライド可能に配置される。図７に示すように、半径方向アーム１０６の間のスペースはリザーバ６８に通じており、ポンプチャンバ７０の前方端に向かうシリンダの移動によってリザーバ６８からポンプチャンバ７０の中に液体が流れることを可能にする。ポンプの作動によって端部キャップ７４の開口部がシールされることを確実なものにするために、ポンプチャンバ７０の中に配置されたシャトル弁１０４の前方端にキャップ１０８が設けられる。キャップ１０８は、端部キャップ７４の端面に対してシールする。
【００３６】
ポンプ機構８８の作動が、特に図６及び図７に示されている。リザーバ６８の中に入っている粘性液体の計量された量を取出するために、ユーザはアクチュエータ３０を用いてポンプ機構８８を作動させる。アクチュエータ３０は、後でもっと詳しく説明される。アクチュエータ３０を押すと、ポンプシリンダ９２が後向きにポンプチャンバ７０の中に移動する。チャンバ７０内の粘性液体の圧力によって、シャトル弁１０４が強制的に閉鎖され、チャンバ７０の中に入っている粘性液体が、ポンプシリンダ９２の中に長さ方向に定められた送出通路９４の中に導かれる。特に図６に示すように、粘性液体が取出オリフィス９６を通して放出される。アクチュエータ３０を解放すると、ばね９８がポンプシリンダを図７に示された位置まで強制的に戻す。この作用によって、シャトル弁１０４の着座が外れて、特に図７に示されるように、粘性液体がポンプチャンバ７０の中に引き込まれる。
【００３７】
リザーバ６８の中で真空が引かれないように、リザーバは通気される。この通気は、種々の手段によって達成可能である。例えば、リザーバ６８は、シリンダ９２を通して又はシリンダの周りで直接換気することができる。しかしながら、これは、シリンダの周りから流体が漏れ出る傾向があるので、望ましい実施形態ではないことがある。図面に示すように、１つの好ましい通気方法は、例えば、ハウジング１４の上面を通して配置される通常の通気弁１３０を用いることによって、ハウジング１４の上部を通気することである。通気弁１３０は、特に図１３に示されており、ボール・ケージ１３４の中に着座されたボール１３２を使用するものである。ボール１３２は、図１３に示されるように粘性液体が詰め過ぎの状態になるか、又は発送中などにハウジング１４がひっくり返されると、上部部材１３３に設けられた開口部に対して着座し且つシールする。その後の使用のためにディスペンサが壁面に掛けられると、ボール１３２はボールケージ１３４の中に落下して、通気弁１３０が開放される。ボール１３２のシールはさらに、ばねによって助けることもできる。
【００３８】
上述のように、ポンプ機構８８は、ユーザがアクチュエータ３０を押し下げることによって作動される。アクチュエータ３０は、ポンプシリンダ９２を動かすように構成されたどんな部材とすることもできる。図面に示された一実施形態においては、アクチュエータ３０は、ハウジング１４に独特な美的に優れた外観を与えるパネル部材３２によって定められる。パネル部材３２は、内向きに配置された突起３６（図１４）を有する側壁３４を含み、該突起３６は、ハウジング１４の側部１６に設けられ対応するサイズにされたディボット即ち凹部３８の中に係合する。パネル部材３２の内面上に通路部材４０（図３）を設けて、ポンプシリンダ９２の前端に対して明確に係合させることができる。ユーザにアクチュエータを押すための適正位置を示すために、パネル部材３２の前面にくぼみ３３を定めてもよい。
【００３９】
アクチュエータは、どんな構成又は美的に優れた形状をもとり得ることを理解されたい。特に図１５及び図１６に示された別の実施形態においては、アクチュエータ３０は、ポンプシリンダ９２の前面９３に直接取り付けられたキャップ４２によって定められる。この取り付けは、接着剤や機械式相互ロック装置などによって与えることができる。アーム４４は、適正な位置合わせを確実なものにし、構造体に剛性を与えるために、ポンプハウジング１４の中に定められた凹部４６の中にスライド可能に係合することができる。
【００４０】
図８ａ及び図８ｂは、ディスペンサ１０の発送の際に特に有用なポンプシリンダ９２のロック特徴を示すものである。ポンプシリンダ９２は、該ポンプシリンダの上部に定められた長さ方向の通路１１８を含み得る。長さ方向の通路１１８の中に、ポンプチャンバの前壁部材８６のタブ部分８７が配置される。この場合には、ポンプシリンダ９２は、作動及び解放によって該ポンプシリンダが回転することが防がれる。特に図８ａに示されるように、ポンプシリンダ９２の中に部分的な周方向の通路１２０が定められる。周方向の通路１２０は、図６に示すように、チャンバ７０内のシリンダ９２の完全に押し下げられた又は作動された位置に対応する部分において、ポンプシリンダ９２に沿って定められる。ディスペンサ１０の発送のために、ポンプシリンダ９２は、特に図８ｂに示すように、タブ８７が周方向の通路１２０の中に係合するように、押し下げて回転させることができる。この構成においては、ポンプシリンダ９２は、定位置にロックされ、ポンプシリンダが回転されて図８ａに示す位置に戻されるまで、チャンバ７０内で動くことができない。この手順は、アクチュエータ３０を取り付けて、ディスペンサ１０を支持壁面上に設置する前に、保守技術者によって達成可能である。
【００４１】
ディスペンサから粘性液体又は石鹸が漏れることを防ぐために、ポンプシリンダ９２の取出オリフィス９６の中に弁機構を含め得ることが望ましい。これに関しては、どんな手法のシール弁を使用することもできる。本出願人らは、特に有用な弁機構１１０は、図９ａ及び図９ｂに示されたタイプの弁であることを見出した。この弁１１０は、特に図５から図７までに示されるように、弁１１０をポンプシリンダ９２の送出端の中に着座させるのに用いられるフランジ部材１１３を含む。弁は、その中を通る開口部１１４を定める少なくとも１つの、好ましくは複数の弾性フラップ１１２を含む。フラップ１１２は、弁１１０がポンプシリンダ９２の中に図５から図７までに示された向きに配置されたときに、自身に対してシールする。特に図６に示すように、ポンプシリンダ９２が作動すると、液体の圧力によって弾性フラップ１１２が開いて、ポンプシリンダ９２から液体が取出される。弁１１０を取出オリフィス９６に対する定位置に固定するために、別個のキャップ部材１２２を使用することができ、キャップ部材１２２は、取出オリフィスと位置合わせされたキャップ部材の開口部を含む。キャップ部材１２２は、圧力嵌め要素を含んでも良いし、ポンプシリンダ９２に恒久的に接着したり溶接したりしても良い。
【００４２】
弁１１０はまた、シリンダ９２が作動後に移動して休止位置に戻る際に、ポンプチャンバ７０に通気する傾向がある。チャンバ７０の中に真空が引かれるのに伴って、弾性フラップが僅かに分離し、チャンバ７０に向けて引き込まれ、これにより通気路が定められる。チャンバが通気されると、フラップが閉じて、互いに対してシールする。
図９ａ及び図９ｂに示された弁１１０は、当該技術分野では分岐弁として一般に知られるものであり、ミシガン州所在のＬＭＳ社から入手可能である。
【００４３】
本発明に係るディスペンサ１０はまた、ハウジング１４の一体部品として構成された一体形成型の取付機構を含む。この取付機構は、ディスペンサ１０を、壁面１２上に設けられた全体を５８で示す相補的な取付構造体に取り外し可能に接続できるようにする（図３）。本発明に係る一実施形態においては、取付機構は、ディスペンサ１０の裏側１８の一体成形型の特徴として定められる。この特徴は、どんな特定の形式の構造体にも限定されるものではなく、壁面１２上に設けられた相補的な取付構造体にハウジングを取り外し可能に設置するのに好適なタイプのコネクタ又は係合構造体のいずれをも含む。取付機構構造体が、例えば図３に見られるようにハウジングの裏側１８の「境界」によって囲まれて、ハウジング１４を壁面１２に対して設置すると、裏側１８の境界部分が直接壁面１２に対面することが望ましい。この構成においては、取付機構はどんな角度からも見えず、ハウジング１４と壁面１２との間に、そこからこじ開け道具を挿入して器物破損行為を図らせるような隙間は本質的に存在しない。
【００４４】
図示された実施形態においては、凹部５０を含む一体型取付機構特徴は、裏側１８に成形される。凹部５０は、ほぼ垂直な側壁５２によって定められる。後でもっと詳しく説明するように、壁取付構造体５８上に設けられた相補的な構造体に対して又は構造体に係合させるために、側壁５２に沿って係合構造体が設けられる。図示された実施形態においては、係合構造体は、垂直壁５２に沿って定められた或る角度をなす表面５６によって形成される。或る角度をなす表面５６は、特に図３及び図１２に見られるように、壁取付構造体５８上に定められた相補的な或る角度をなす表面６２に対して係合する。図示された実施形態においては、少なくとも２つの或る角度をなす表面５６が設けられ、垂直壁５２の断面によって分離される。２つの或る角度をなす表面５６が、壁取付構造体５８の或る角度をなす表面６２に対して係合する。ディスペンサ１０を壁取付構造体５８に取り付けるには、保守技術者は、或る角度をなす表面５６が壁取付構造体の対応する或る角度をなす表面６２との間で垂直に配置されるように、ディスペンサ１０を壁取付構造体５８に対して単純に位置決めする。次いで、保守技術者は、特に図１２に示すように、ディスペンサ１０を或る角度をなす表面５６、６２と係合するように垂直方向に単純にスライドさせる。この相互ロック構成においては、ディスペンサは、壁取付構造体５８から引き離すことができない。各垂直壁に設けられた２つの或る角度をなす表面５６の構成は、同一の長さ方向の表面積をもつ単一の或る角度をなす表面５６と比較して、ディスペンサ１０と壁取付構造体５８との間に必要とされる垂直移動が比較的小さいものでありながら、或る角度をなす表面の相互ロック表面積の増加を与えるので、特に有用である。
【００４５】
本発明の特定の一実施形態においては、ハウジングの裏壁１８は、本質的にある程度の「遊び」又は弾性をもつプラスチックのような材料から形成することができる。その一方で、壁取付構造体５８は、比較的硬質な剛性材料（すなわち金属又は硬質プラスチックブラケット）から形成することができ、対応するハウジング凹部５０の寸法より大きい少なくとも１つの寸法（すなわち幅又は深さ）をもつことができる。例えば、或る角度をなす表面６２における取付構造体５８の幅は、或る角度をなす表面５６を定める凹部５０の対応する嵌合幅部分より僅かに大きくすることができる。この手法においては、ハウジングを壁取付構造体上に設置すると、取付構造体の大きめの寸法の部品によって、対応するハウジング凹部部分が、オーバーサイズの壁取付構造体に適応するために「湾曲」又は屈曲する。この構成は幾つかの利点を与える。ハウジングと壁取付構造体との間にしっかりした固定及び緊密な係合が与えられ、ハウジングが支持壁に対してぐらついたり動いたりすることを防ぐ。ユーザには、ハウジングが壁に恒久的にボルト締めされるか又は他の手法で取り付けられているように見えることになり、ハウジングを取り外す術が見当たらない。上述のように、凹部は、ハウジングを支持壁上に設置するとどんな角度からも見えないように、裏壁の境界部分の中に完全に囲まれることが望ましい。ハウジングの裏壁は、裏壁の周りに全体的に定められる最小限の一様な隙間をもって支持壁に直接くっついているように見える。また、ハウジングは、過度の力なしでは壁取付構造体から引き離したりこじ開けたりすることができない。
【００４６】
ディスペンサ１０が壁取付構造体５８上に適正に配置されると、技術者にディスペンサ１０が適正に配置されたことを示し、あらゆる努力なしにディスペンサ１０が外れることを防ぐために、固定装置を含むことが望ましい。図示された実施形態においては、固定装置は、凹部５０の中にハウジングの裏側１８から延びる突起１２６を含む。突起１２６は、取付構造体５８の中に定められた傾斜面１２９上にスライドされて、傾斜面１２９に隣接して配置され対応するサイズにされたディボット１２８の中にはまる。壁取付構造体５８は、どんな手法の好適な取付構造体をも含むことができる。図示された実施形態においては、壁取付構造体５８は、例えば、ねじや接着剤などによって壁面１２に取り付けられたプレート部材６４によって定められる。壁取付構造体５８は、単純にディスペンサ１０のための相互ロック係合装置を与えるように働く。ディスペンサ１０を、支持壁上に設けられた相補的な壁構造体に取り外し可能に接続するために、どんな手法の相互ロック係合構成をも与えることができることを理解されたい。例えば、これに関しては、比較的単純なバイオネット型ファスナ、ばね入りラッチ等を設けることができる。本発明の望ましい特徴は、ディスペンサ１０の全体が使い捨てであることであり、したがって、比較的簡素でなおかつ信頼性のある係合装置であることが好ましい。本明細書において図示され説明された２つの或る角度をなす表面の構成は、この点において特に有用であることが見出された。
【００４７】
保守技術者に、ディスペンサ内の粘性液体の量を判断するための手段を与え得ることも望ましい。これに関しては、上述のように、ハウジング１４の一部を、半透明か又は透明な材料から形成することができる。特に図１に示された実施形態においては、修理又は保守技術者が、ディスペンサの側部から液体の残量を見ることができるように、裏部品２２全体が半透明か又は透明な材料から形成される。図１９に示された別の実施形態においては、保守技術者がリザーバの中に入っている液体の残量を判断するためにリザーバの中を見ることができるように、透明な又は半透明な材料の窓１３６を、ハウジング１４のどこか、好ましくはハウジングの底部付近に設けることができる。
【００４８】
上述のように、内部リザーバと、一体に形成された壁設置凹部とを備えたハウジングの独特な構造及び構成によって、本発明に係るディスペンサは、ディスペンサの（上記で定義したような）「パッケージング」を増加させる必要性なしに著しく増加させることができる容量をもつようにされる。例えば、本発明に係る２．５リットル容量のディスペンサが現在検討されている。ディスペンサ・パッケージング（ハウジング及び一体型ポンプ機構）は、約２５０グラムのみの重さとなることが予想される。したがって、２．５リットルの取出「位置」を維持し、かつサービスするためには、約２５０グラムのみの材料が必要とされる。一方、同一体積の従来のカートリッジ又は直接詰め替えディスペンサは、破壊されたりポンプの作動不良などによって取り替えることが必要となり、ハウジングと詰め替え材とが組み合わされた重量は、実質的に大きくなる。本発明に係る２．５リットル容量のディスペンサにおける重量（グラム）対体積（リットル）比は、約１００：１である。本出願人らは、これは、従来の詰め替えディスペンサ（カートリッジを詰め替えるか又は大量貯蔵カートリッジからハウジングを直接詰め替えるもの）に対する大きな改善になると考えている。本発明に係る容量の大きいディスペンサ、例えば５リットルのディスペンサについては、パッケージング重量の増加は一次関数ではなく、このため、重量対体積比は容量の増加に伴って減少することになると考えられる。
【００４９】
したがって、本発明に係る種々の体積容量のディスペンサを設計することができ、パッケージング重量グラムに対する体積容量リットルの比は、通常は約１２０：１より大きくなく、好ましくは１００：１又はそれ以下である。２．５リットル容量のディスペンサの特に有用な一実施形態においては、比は約１００：１である。
本発明に係るディスペンサは、ハウジングと壁取付構造体との間の取付機構が、満杯になったハウジングの重量を支持するのに構造的に十分なものである限り、該ディスペンサのサイズに限定されるものではないことを理解されたい。
【００５０】
図１８から図２４までは、本発明に係るディスペンサに使用可能な通気機構の別の実施形態を示す。図１３に示された通気部１３０のように、これらの通気部は、リザーバとそれを取り囲む環境との間の圧力を平衡化することによって、リザーバ６８の中に真空が引かれるのを防ぐ。図１９から図２２までを参照すると、１つの特定の通気機構２３０は、ハウジングの上壁２３２の開口２３８を通して配置されるように構成される。この開口２３８はまた、リザーバ６８に最初に充填するための充填ポートとしても働く。通気機構２３０は、壁２３２と相互ロックし且つシール係合する全体を２５０で示す本体を含む。図示された実施形態においては、本体２５０は、開口２３８を通して挿入され、その後、壁２３２の内面２３６に対して自動的に係合して、通気機構２３０をこれ以後ハウジングから引っ張ることができないようにする。
【００５１】
図示された実施形態における通気本体２５０は、上側の本体部分２６０と下側の本体部分２５２を含む。これらの部分は、別個に成形するか又は形成して、その後、例えば特に図１８に見られるようなレッジ２５７に接合することができる。この部分は、接着剤、超音波、溶接などを含む通常の手段のいずれかによって接合することができる。この部分はまた、単一の一体型ユニットとして、例えば単一の成形本体部品として形成することができる。
下側の本体部分２５２は、下側の通気通路２５８を定めるほぼ円筒形の又は切頭形の部品である。通気部２３０をハウジング壁２３２に係合し及び固定するために、少なくとも１つの、好ましくは複数の弾性タブ２５４のような弾性部材が本体上に設けられる。特に図２０Ａ及び図２０Ｂに示すように、弾性タブ２５４は、下側本体部分２５２を通る垂直軸線に対して或る角度をなして配置され、開口部２３８を通して本体２５２が挿入されると、内向きに屈曲できるようにされる。タブ２５４が壁の内面２３６から離れると、図２０Ｂに示すように半径方向外向きに屈曲する。したがって、通気部２３０は、これ以後ハウジングから引っぱることができない。
【００５２】
下側の本体部分２５２は、弾性のタブ２５４との間で離間され且つ本体部分を通る垂直軸線に対してほぼ平行に配向される実質的に剛性のタブ２５６を含む。これらのタブ２５６は、上側本体部分２６０を受け入れるためのケージ状の構造体を定める。
種々の構造的構成は、弾性部材と下側本体部分２５２を定めることができ、図示された実施形態は本発明を制限することを意図しているものではないことを認識されたい。
上側の本体部分２６０は、通気オリフィス２４２まで延びる上側通気通路２６２を定めるほぼ円筒形の部材である。上側本体部分２６０を下側本体部分２５２に組み付けると、上側通気通路２６２が下側通気通路２５８と位置合わせされる。
【００５３】
通気機構の通気オリフィス２４２を休止又は静止状態でシールするために、全体を２４４で示す通気プラグが通気通路２６２の中に移動可能に配置される。図示された実施形態においては、通気プラグは、ばね２７２によって傾斜面２６４に対して付勢されたボール２４６である。したがって、図面からすぐに分かるように、静止位置において、ボール２４６が傾斜面２６４に対して押し付けられて、通気オリフィス２４２が遮断される。したがって、リザーバ６８は外部環境に対して本質的にシールされる。
【００５４】
上側の本体部分２６０はさらに、全体を２６６で示すキャップを含む。図示された実施形態においては、キャップ２６６は、プレート状の部材であり、弾性の周方向リップ２６８を含む。リップ２６８は、通気機構とディスペンサ・ハウジングとの間に第１シールを定める。図２１及び図２２に破線で示された非張力又は弛緩状態においては、弾性リップは、キャップ２６６の残りの部分より大きい曲率半径を有する。ハウジングの開口部２３８を通して通気部が挿入されると、リップ２６８がハウジングの上壁２３２の表面に対して押し付けられ、平たくなって、ハウジング表面に対してシールする。キャップ２６６に一定の圧縮力がかかることを確実なものにするために、リップ２６８の縁と弾性タブ２５４の上部との間の垂直距離「ｄ」（図２３）は、ハウジング壁２３２の厚さより大きい。この場合には、ハウジング壁を通して通気部が挿入されると、弾性タブ２５４もキャップ２６６に対して一定の下向きの引っ張り力をかけ、弾性リップ２６８をハウジング表面に対して押し付けてシールさせる。
【００５５】
上側の本体部分２６０はまた、キャップ２６６の下側から下向きに延びる弾性スカート部材２７０を含む。スカート２７０の端部にフット２７１が定められる。スカート及びフット構成は、通気機構とディスペンサ・ハウジングとの間に独立した第２シールを定める。図２１及び図２２を参照すると、スカート・フット２７１は、図面における破線によって示されるように、ハウジング壁２３２を通る開口部２３８より大きい弛緩した又は非張力直径を有する。開口部２３８を通して通気機構を挿入すると、スカートが半径方向内向きに圧縮され、フット２７１が開口部の壁２３９に対してシール係合する。
図２２に示された実施形態においては、ハウジング壁２３２の開口部２３８は、直線的な垂直壁２３９によって定められる。弾性スカート２７０のフット２７１は、この壁２３９に対してシールし、弾性リップ２６８はハウジング壁の上面２３４に対してシールする。この構成においては、スカートが、ハウジング壁２３２の厚さより大きい垂直長さをもたないことは重要である。
【００５６】
図２１の実施形態においては、開口部２３８は、壁２３９から半径方向にオフセットされた第２壁２４０を有するカウンタボア孔として定められる。この構成においては、弾性リップは、カウンタボアの周方向の壁又はリッジ２４１に対してシールし、キャップ２６６は壁２４０の深さに応じてハウジング壁の上面２３４の平面より高く又は低く接触する。この構成においては、リップ２６８は、第２壁２４０まで延びるべきではなく、スカート２７０は壁２３９より低く延びるべきではない。
図１８から図２０Ｂまでに示す実施形態においては、開口部２３８もカウンタボア孔である。しかしながら、この構成においては、スカート・フット２７１は、第２壁２４０に対して係合し、弾性リップ２６８はハウジング壁の上面２３４に対して係合する。スカート２７０の垂直長さは、第２壁２４０の深さより大きくすべきではない。
【００５７】
通気機構２３０の静止又は休止モードにおいては、通気プラグ２４４（すなわちボール２４６）が、弾性的に押し付けられて、通気オリフィス２４２を定める或る角度をなす表面２６４に対して係合する。この係合は、本質的に気密シールとすることができる。ユーザが、リザーバ６８から計量された量の粘性液体を取出するためにポンプ機構を作動させると、リザーバ内に部分的に真空が引かれ、通気部を横切る圧力差が生じる。これにより、通気プラグが、弾性部材（すなわちばね２７２）の力に対抗して引き下げられる、すなわち通気オリフィス２４２から離される。通気プラグが脱着座されると、リザーバと外部環境との間の圧力差が平衡化され、その後通気プラグは、ポンプ機構が次に作動されるまで或る角度をなす表面２６４に対して再着座される。これに関しては、弾性部材は、ポンプ機構が作動されると、リザーバの内部に生成した真空度において通気オリフィスから通気プラグを脱着座できるような「寸法」にすべきであることに注意されたい。例えば、ばね２７２が使用される場合には、こうしたばねは、ユーザがポンプ・ディスペンサを作動させることによって、通気プラグが脱着座して圧力が平衡化することを妨げるほど大きいばね定数をもつべきではない。
【００５８】
図２３は、通気機構の別の実施形態を示すものであり、本体部材は、上側の通気通路２６２の中に上向きに延びるスカート部２７４を含む。スカート部は、連続的なものである必要はなく、周方向に離間されたフィンガ又はタブを構成することができる。スカート部２７４は、上で通気プラグ（ボール２４６）が休止する弾性リム部材２７６を含む。この実施形態は、通気プラグがばねの代わりにスカート２７４と弾性リム部材２７６によって付勢されることを除いては、上述のものと本質的に同様に作動する。
図２４は、図２３と類似した実施形態を示す。しかしながら、この実施形態においては、通気プラグは、スカート２７４の少なくとも一部と一体に形成され弾性的に配置された球根状の部材２７８である。球根状の部材２７８は、弾性リム部材２７６によって支持される。この実施形態の作動は、上述のものと同様である。
【００５９】
既に説明したように、本発明に係るディスペンサに使用するのに好適なポンプ機構は、ハウジングの前壁表面を通して定められた孔の中に内部リザーバと連通するようにはめ込まれた自給式装置を含み得る。こうした実施形態は、図１５から図２９までに示されている。この実施形態は、図５から図９までの実施形態の態様と同様であり、したがって、共通の特徴を詳細に説明する必要はない。
【００６０】
図２５から図２９までを参照すると、この実施形態におけるハウジング２４は、前面３０４を通して定められたボア３０２を含む。ほぼ円筒形の延長部３１２は、前面３０４からリザーバの中に後ろ向きに延びる。シリンダの延長部３１２の最外端は、半径方向内向きに延びるシール３１０を有する。後で詳細に説明するように、シール３１０はチャンバの挿入部材に対してシールする。複数のナブ又は突起３０８が、前面３０４から延び、ボア３０２を取り囲む。円筒形の延長部３１２、リングシール３１０及び突起３０８は、全てハウジング２４と一体に成形される。
【００６１】
チャンバ挿入部材３１４は、ボア３０２の中に嵌合するように設計される。挿入部材３１４は、特に図２６及び図２８に示されており、内部ポンプチャンバ３２２を定める内部壁３２５を有するほぼ円筒形の部材とすることができる。後述するように、ポンプシリンダがその中にスライドされる挿入部材３１４の前方端を通して開口部３２３が定められる。挿入部材３１４は、該挿入部を通して定められた複数のカウンタボア型の孔３１７を有する前部の外側フランジ３１６を含む。孔３１７は、突起３０８と位置合わせされる。挿入部材３１４は、ハウジング２４の前側からボア３０２を通してはめ込まれる。フランジ３１６の裏側は、ハウジング２４の前面３０４に対して押付けられ、突起３０８は孔３１７を通して延びる。挿入部材は、突起３０８が「加熱杭」工程において溶融され、溶融した材料がカウンタボア型の孔３１７の中に流され硬化されて、該挿入部材３１４が固定されることによって、ハウジング２４に恒久的に取り付けられる。挿入部材３１４をハウジング２４に対して固定する又は取り付けるために、多くの他の好適な装置及び方法を使用できることを理解されたい。
【００６２】
挿入部材３１４は、ボア３０２と周方向の延長部３１２を通してスライドさせた時に延長部３１２の端部のシール３１０によって緊密に係合される周方向外側の表面３１８を有する。したがって、この方法で挿入部材３１４とハウジング２４との間に第１シールが形成される。溝３１９の中に係合し、挿入部材３１４が適正に挿入されたという能動的指示を与えるリング状の突出部３２１を、表面３１８の周りに形成するか又は他の手法で設けることができる。リング３２１は、Ｏ−リングとすることができ、これもシール能力を与える。
【００６３】
挿入部材３１４は、外側フランジ３１６の裏側に後ろ向きに定められた半径方向外側に延びた部分３２０を含む。この部分３２０は、特に図２５に示されるように、円筒形の延長部３１２とのシールとして働く。したがって、この方法で、挿入部材３１４とハウジング２４との間に第２シールが形成される。
挿入部材３１４は、開口部３２３の直径を定める内側フランジ３２６と、チャンバ３２２の中に形成された位置合わせタブ３２４を含む。このタブ３２４は、後で説明するように、ポンプシリンダの中に定められた長さ方向に延びる通路か又は溝と協働する。
【００６４】
ポンプシリンダの別の実施形態は、図２５及び図２９に開示されている。このポンプシリンダの実施形態は、図５から図９までに示された一体成形型ポンプチャンバか又はポンプチャンバ挿入部材３１４において使用可能である。この実施形態は、２つの部品からなるポンプシリンダ３４０を含む。この第１部品３４２は、中を通して定められ第１部品３４２の前端の中に定められた配送オリフィス９６まで延びる通路３４４を有するほぼ円筒形の部材である。第１部品の前端は、ポンプシリンダ３４０の送出端に対応する。ポンプシリンダ３４０がポンプチャンバ３２２から引き出されるのを防ぐために、第１部品３４２の後方端にフランジ３５４が設けられる。このフランジ３５４は、図２５に示すように、ポンプシリンダ３４０の十分に延びた位置で挿入部材３１４の内部フランジ３２６に対して係合する。
【００６５】
図５から図９までの実施形態と同様に、ポンプシリンダ３４９のためのロック特徴が設けられる。第１部品３４２の外面に沿って長さ方向の溝又は通路３５０が定められ、シリンダがポンプチャンバ３２２の中に長さ方向にスライドされる際に、挿入部材３１４の位置合わせタブ３２４に係合する。この場合には、ポンプシリンダ３４０は、該ポンプシリンダの作動及び解放による回転が防がれる。特に図２５に示すように、第１部品３４２の外面の中に部分的な周方向の溝３５２が定められる。周方向の溝３５２は、ポンプチャンバ３２２の中のポンプシリンダ３４０の加圧位置に対応する位置に定められる。ディスペンサの発送のために、タブ３２４が周方向の溝３５２の中に係合するように、ポンプシリンダ３４０を押し下げて、次いで回転させることができる。この構成においては、ポンプシリンダ３４０は、ポンプシリンダが回転されてタブ３２４が長さ方向の溝３５０の中に係合する位置に戻されるまで加圧位置にロックされ、ポンプチャンバ３２２の中で動くことができない。
【００６６】
ポンプシリンダ３４０の第１部品３４２はまた、該部品の後方端に定められたフランジシール３５６を含む。フランジシール３５６は、挿入部材３１４の内部壁３２５に対して係合し、シリンダが休止位置から加圧位置まで移動することによって、チャンバ３２２の中に入っている粘性液体が加圧されてポンプシリンダ３４０から取出されることを確実なものにし、シリンダの移動によってポンプチャンバの一端から他方まで単純に動くのではない。
【００６７】
ポンプシリンダ３４０の第２部品は、第１部品３４２の後方側に定められたチャンバ３４１の中にはめ込まれるプラグ部材３４６とすることができる。プラグ部材３４６は、該プラグ部材を通して定められ、且つ第１部品３４２の中に定められた通路３４４と軸方向に位置合わせされた通路３４８を有する。したがって、位置合わせされた通路３４４及び３４８は、ポンプシリンダ３４０を通した送出通路を定める。図２９に示されるように、通路３４８は、該通路の上部に沿って開放することができ、チャンバ３４１と開放通路３４８を定める第１部品壁との協働によって閉鎖された通路を形成する。プラグ部材３４６の後方端にカップ形状のフランジ部材３５７が定められる。フランジ部材の側壁は、挿入部材３１４の内壁３２５に対して係合し、これによりポンプシリンダ３４０とポンプチャンバ３２２との間に第２フランジシール３５８が定められる。カップ形状のフランジ部材３５７の内部は、後述するようにばねがそれに対して着座する凹部又は座部３６２を定める。図５から図９までの実施形態におけるように、チャンバ内でのポンプシリンダ３４０の移動によってチャンバ３２２の中の粘性液体がチャンバの外に押し出されないことを確実なものにするために、ポンプチャンバ３２２に逆止め弁が設けられる。この実施形態における逆止め弁は、半径方向に延び且つ離間されたアーム３３６を有するシャトル弁３９２である。シャトル弁３９２は、端部キャップ３２８を通して定められた開口部の中にスライド可能に配置される。半径方向アーム３３６の間のスペースは、リザーバに通じており、ポンプシリンダ３４０がポンプチャンバ３２２の前方端に向けて移動すると、液体がリザーバからポンプチャンバ３２２の中に流入できるようにする。ポンプの作動と、チャンバ３２２内でのポンプシリンダ３４０の加圧位置に向けた後方移動によって、端部キャップ３２８の開口部がシールされることを確実なものにするために、シャトル弁３９２の前方端上にエラストマー・キャップのようなシールキャップ３３４が設けられる。キャップ３３４は、端部キャップ３２８の円筒形の突出部３３８の前方端に対してシールする。開ケージ部材３３０は、端部キャップ３２８からリザーバの中に延び、半径方向アーム３３６を取り囲む。
【００６８】
ポンプシリンダ３４０は、ばね３６０の作用によってポンプチャンバ３２２内で休止位置に向けて付勢される。この目的のために、重ね板ばね、ばね座金などのようなその他のタイプの弾性装置を使用することもできる。ばね３６０は、プラグ部材３４６のカップ形状のフランジ部材３５７の凹部３４６の中に着座された前方端を有する。ばね３６０の両端は、端部キャップ３２８の円筒形の突出部３３８の周りに嵌合される。
端部キャップ３２８は、ポンプシリンダ３４０とばね３６０が後方端から挿入部の中に挿入された後に、チャンバ挿入部材３１４の後方端に恒久的に固定される（すなわち溶接や接着剤等による）。図５から図９までの実施形態と同様に、ディスペンサから粘性液体が漏れることを防ぐために、ポンプシリンダ３４０の送出端の中に弁機構を含み得ることが望ましい。特に有用なシール弁は、図９ａ及び図９ｂに関連して図示され説明されたタイプの弁である。
【００６９】
図２５から図２９までに示された実施形態の作動は、図５から図９までの実施形態について上述したものと実質的に同一であり、このため再び詳しく説明する必要性はない。
図２５から図２９までのポンプ機構は、製造及び組立ての観点から望ましい場合がある。ハウジングからポンプ機構を取り外して、該ポンプ機構をリサイクル又は再使用できるようにすることが望ましい場合もある。この場合には、チャンバ挿入部材３１４とハウジング２４との間に、もっと簡単に「壊すことができる」か又は取り外すことができる取り付け具を与えることが好ましい。しかしながら本発明の精神及び範囲内においては、図２５から図２９までの実施形態は、チャンバ挿入部材３１４とハウジング２４の前面３０４との間の加熱杭溶接を壊して挿入部材３１４を取り外せないようにするものである。
本発明は、本明細書に記載された本発明の実施形態の修正及び変形を含むことを理解されたい。
【図面の簡単な説明】
【００７０】
【図１】本発明に係るディスペンサの斜視図である。
【図２】図１に示されたディスペンサの裏側の斜視図である。
【図３】図１に係るディスペンサと、相補的な壁取付構造体との別の斜視図である。
【図４】図３に示された線に沿って見たディスペンサの断面図である。
【図５】図３に示された線に沿って見たディスペンサのポンプ機構の断面図である。
【図６】ポンプ機構の作動上の断面図である。
【図７】ポンプ機構の作動上の断面図である。
【図８ａ】特に逆止め弁装置を示すポンプ機構の部分的斜視及び切り取り図である。
【図８ｂ】特にロック特徴を示すポンプ機構の部分的斜視及び切り取り図である。
【図９ａ】ポンプシリンダに組み込まれた弁機構の斜視図である。
【図９ｂ】図９ａの弁機構の作動上の斜視図である。
【図１０】ディスペンサ・ハウジングの裏部品の斜視図である。
【図１１】ディスペンサを設置するための壁設置ブラケットの作動上の部分的斜視図である。
【図１２】図１１に示された線に沿って見た壁設置ブラケットの断面図である。
【図１３】図２に示された線に沿って見た通気弁の断面図である。
【図１４】ポンプハウジングに取り付けられたパネル部材アクチュエータの拡大斜視図である。
【図１５】ディスペンサの別の実施形態の斜視図である。
【図１６】図１５に示されたディスペンサに使用されるアクチュエータの拡大部品図である。
【図１７】特にディスペンサの中の液体の量を判断するための窓特徴を示すディスペンサの別の実施形態の斜視図である。
【図１８】本発明に係る通気機構の別の実施形態の斜視及び部分断面図である。
【図１９】図１８の通気機構の本体部材の下側部分の斜視図である。
【図２０Ａ】ハウジングの上部壁の開口部の中に通気機構を挿入するところを示す図１８の通気機構の断面図である。
【図２０Ｂ】ハウジングの中に挿入した後の図２０ａの通気機構の断面図であり、特に通気機構をハウジング壁にロックするための弾性ロック機構の実施形態を示す。
【図２１】ハウジング壁の座繰りボア用に設計された図２０Ｂの部分の拡大断面図である。
【図２２】ハウジング壁の直線ボア用に設計された図２０Ｂの部分の拡大断面図である。
【図２３】本発明に係る通気機構の別の実施形態の断面図である。
【図２４】本発明に係る通気機構の別の実施形態の断面図である。
【図２５】本発明に係るポンプ機構の別の実施形態の断面図である。
【図２６】図２５のポンプ機構の実施形態の部品の部分的斜視図である。
【図２７】図２６に示された部品の部分的に組み立てられた斜視図である。
【図２８】図２５の実施形態のポンプチャンバ挿入部の斜視図である。
【図２９】図２５の実施形態のポンプシリンダの部品の斜視図である。
【符号の説明】
【００７１】
１０  ディスペンサ
１４  ハウジング
１６  側壁
１８  裏側
２０  表側
２２  裏部品
２４  表部品
２６  側縁
２８  凹部
３０  アクチュエータ
４８  タブ
６８  液体リザーバ
７０  チャンバ
８８  ポンプ機構
９０  送出端
９２  シリンダ
９８  ばね
１０１  ピストン
１１６  Ｏリング
【図１】
2007098145.tif 000003
【図２】
2007098145.tif 000004
【図３】
2007098145.tif 000005
【図４】
2007098145.tif 000006
【図５】
2007098145.tif 000007
【図６】
2007098145.tif 000008
【図７】
2007098145.tif 000009
【図８ａ】
2007098145.tif 000010
【図８ｂ】
2007098145.tif 000011
【図９ａ】
2007098145.tif 000012
【図９ｂ】
2007098145.tif 000013
【図１０】
2007098145.tif 000014
【図１１】
2007098145.tif 000015
【図１２】
2007098145.tif 000016
【図１３】
2007098145.tif 000017
【図１４】
2007098145.tif 000018
【図１５】
2007098145.tif 000019
【図１６】
2007098145.tif 000020
【図１７】
2007098145.tif 000021
【図１８】
2007098145.tif 000022
【図１９】
2007098145.tif 000023
【図２０Ａ】
2007098145.tif 000024
【図２０Ｂ】
2007098145.tif 000025
【図２１】
2007098145.tif 000026
【図２２】
2007098145.tif 000027
【図２３】
2007098145.tif 000028
【図２４】
2007098145.tif 000029
【図２５】
2007098145.tif 000030
【図２６】
2007098145.tif 000031
【図２７】
2007098145.tif 000032
【図２８】
2007098145.tif 000033
【図２９】
2007098145.tif 000034